(57)【要約】【課題】ビデオＣＤの記録内容に拘わらず、一時停止後の再生時であっても、映像と音声を違和感なく再生できるディスク再生装置を提供する。【解決手段】外部メモリ１４に記憶された再生データが画像データである場合に、該画像データが記録されているディスク１０上のアドレスを検出する続き再生アドレス検出部１８と、この続き再生アドレス検出部１８でアドレスが検出される毎に、既に記憶されているアドレスを該検出されたアドレスで置き換えて記憶する続き再生アドレス記憶部１９と、一時停止の後になされた再生の指示に応答して、ピックアップ１２によるディスク１０に記録されているデータの読み取りを続き再生アドレス記憶部１９に記憶されているアドレスから再開させる制御マイコン１７とを備えている。【選択図】        図１
2005004840.tif 000002
【特許請求の範囲】
【請求項１】
ディスクに記録されているデータを読み取るピックアップと、
前記ピックアップから得られる信号に基づいて生成された再生データを記憶するメモリと、
前記メモリに記憶された再生データに従って映像信号及び音声信号を生成するＡＶデコーダとを備えたディスク再生装置において、
前記メモリに記憶された再生データが画像データである場合に該画像データが記録されている前記ディスク上のアドレスを検出するアドレス検出部と、
前記アドレス検出部でアドレスが検出される毎に既に記憶されているアドレスを該検出されたアドレスで置き換えて記憶するアドレス記憶部と、
一時停止の後になされた再生の指示に応答して、前記ピックアップによる前記ディスクに記録されているデータの読み取りを前記アドレス記憶部に記憶されているアドレスから再開させる制御部、
とを備えたことを特徴とするディスク再生装置。
【請求項２】
アドレス検出部は、メモリに記憶された再生データが画像データであり、且つ該画像データに付加されたヘッダ情報に、少なくとも１つのフレームから成る処理単位の先頭の画像データであることを表す情報が存在する場合に、前記画像データが記録されているディスク上のアドレスを検出することを特徴とする請求項１記載のディスク再生装置。
【請求項３】
ディスクには、ＭＰＥＧ（Ｍｏｔｉｏｎ  Ｐｉｃｔｕｒｅ  Ｃｏｄｉｎｇ  Ｅｘｐｅｒｔｓ  Ｇｒｏｕｐ）方式で圧縮されたデータが記録されており、前記処理単位の先頭の画像データであることを表す情報は、画像データをフレーム内において符号化することに得られるＩピクチャに付加されたＰＴＳ（Ｐｒｅｓｅｎｔａｔｉｏｎ  Ｔｉｍｅ  Ｓｔａｍｐ）データであることを特徴とする請求項２記載のディスク再生装置。
【発明の詳細な説明】
【０００１】
【発明の属する技術分野】
この発明は、ビデオＣＤ（Ｃｏｍｐａｃｔ  Ｄｉｓｃ）に記録されているデータに基づいて映像及び音声を再生するディスク再生装置に関し、特に音声と映像とを同期させる技術に関する。
【０００２】
【従来の技術】
従来、ビデオＣＤに記録されたデータに基づいて映像及び音声を再生するディスク再生装置が知られている。このディスク再生装置で再生されるビデオＣＤでは、映像及び音声の各データは、パケットという単位に分割されて記録されている。ディスク再生装置は、ビデオＣＤに記録されているデータに基づいて映像及び音声を再生する際は、再生中のパケットが記録されているビデオＣＤ上のアドレス（トラックアドレス及びセクタアドレス）を更新しながら記憶している。
【０００３】
このようなディスク再生装置では、映像及び音声の再生を一時停止し、その後、再び再生（以下、「続き再生」という）を開始するという操作が日常的に行われる。この場合、ディスク再生装置は、再生が一時停止された際に記憶されているアドレスからパケットを読み出して続き再生を行う。
【０００４】
なお、関連する技術として、特許文献１は、画像と音声の同期制御のために再生出力時刻管理情報に対応するフレームデータの処理タイミングを検出するタイミング検出回路及びその方法を開示している。このタイミング検出回路は、ＲＡＭのフレームメモリ領域に蓄積された符号化画像データのフレーム数をカウントするカウンタと、デマルチプレクサからＰＴＳがホストプロセッサに供給されるタイミングに応じて、カウンタのカウント値をロードすると共に、蓄積領域から読出された符号化画像データについてフレーム単位の解析処理が終了するごとにロードしたカウント値のデクリメントが行われるレジスタと、レジスタのカウント値が０になった場合に「０」検出部からタイミング検出信号を出力するフレームカウンタをビデオデコーダに備えている。この構成により、従来の装置との互換性が得られると共にコスト的にも有利なものになっている。
【０００５】
また、他の技術として、特許文献２は、所定の単位毎に副映像ストリームの種類を自動的に切り替えることができるようにして、ユーザにとっての取り扱いを便利にし得るディスク再生装置及びディスク再生方法を開示している。この技術では、主映像と、この主映像に対応する複数種類の副映像とが記録されたディスクを再生する場合に、複数種類の副映像から２種類以上の副映像を指定し、この指定された２種類以上の副映像を、所定の再生単位毎に自動的に順次切り替えて再生するようにしている。
【０００６】
【特許文献１】
特開平９−１８８７０号公報
【特許文献２】
特開２００１−３４４８７３号公報
【０００７】
【発明が解決しようとする課題】
ところで、ビデオＣＤには、例えば映画のような動画と音声とが記録された通常のＣＤの他に、静止画と音声とが記録されたスライドショー用のＣＤが含まれる。通常のＣＤは、再生データ中に占める画像データの割合が音声データに比べて圧倒的に多い。従って、再生を一時停止した時点に記憶されているアドレスから続き再生を行うと映像が先に再生され、その後音声が再生される確率が高いので違和感は生じない。
【０００８】
これに対し、スライドショー用のＣＤは、再生データ中に占める画像データの割合は音声データに比べて極端に少なく、再生データ中に画像データが間欠的に存在する状態で記録されている。従って、再生を一時停止した時点に記憶されているアドレスから続き再生を行うと、殆どの場合音声が先に再生され、その後映像が再生される。従って、音声は出力されているが映像はなかなか出力されないという状態が発生し、違和感を感じるという問題がある。
【０００９】
この発明は、上述した問題を解消するためになされたものであり、ビデオＣＤの記録内容に拘わらず、一時停止後の再生時であっても、映像と音声を違和感なく再生できるディスク再生装置を提供することを目的とする。
【００１０】
【課題を解決するための手段】
この発明に係るディスク再生装置は、上記目的を達成するために、メモリに記憶された再生データが画像データである場合に、該画像データが記録されているディスク上のアドレスを検出するアドレス検出部と、アドレス検出部でアドレスが検出される毎に、既に記憶されているアドレスを該検出されたアドレスで置き換えて記憶するアドレス記憶部と、一時停止の後になされた再生の指示に応答して、ピックアップによるディスクに記録されているデータの読み取りをアドレス記憶部に記憶されているアドレスから再開させる制御部とを備えている。
【００１１】
【発明の実施の形態】
以下、この発明の実施の形態を図面を参照しながら詳細に説明する。
実施の形態１．
先ず、この発明の実施の形態１に係るディスク再生装置で再生の対象とするビデオＣＤについて説明する。
【００１２】
ビデオＣＤは、画像データと音声データとをデジタル圧縮符号化して記憶している。このデジタル圧縮符号化には、ＭＰＥＧ（Ｍｏｔｉｏｎ  Ｐｉｃｔｕｒｅ  Ｃｏｄｉｎｇ  Ｅｘｐｅｒｔｓ  Ｇｒｏｕｐ）方式が採用されている。
【００１３】
ＭＰＥＧ方式においては、画像データに対して、（１）フレーム内において符号化を行うフレーム内（Ｉｎｔｒａ）符号化画像（Ｉピクチャ）、（２）前方向のみから予測するフレーム間順方向予測（Ｐｒｅｄｉｃｔｉｖｅ）符号化画像（Ｐピクチャ）、（３）前方向及び後ろ方向の両方向から予測する双方向予測（Ｂｉｄｉｒｅｃｔｉｏｎａｌｌｙ  Ｐｒｅｄｉｃｔｉｖｅ）符号化画像（Ｂピクチャ）の３種類のうちの何れかの予測符号化を行うことによりデータ圧縮を行っている。
【００１４】
このようにして予測符号化されたフレーム間予測の構造においては、複数のフレームでＧＯＰ（Ｇｒｏｕｐ  Ｏｆ  Ｐｉｃｔｕｒｅ）というデータ単位（処理単位）が構成されている。１つのＧＯＰには少なくとも１フレームのＩピクチャが存在する。
【００１５】
このように予測符号化されたピクチャをデコードするには、Ｉピクチャはフレーム内での予測符号化が行われているため、そのＩピクチャのみでデコードすることができる。しかし、Ｐピクチャは時間的に前のＩピクチャ又はＰピクチャを参照して予測符号化されているため、時間的に前のＩピクチャ又はＰピクチャがデコード時に必要とされ、Ｂピクチャは時間的に前後のＩピクチャ又はＰピクチャを参照して予測符号化されているため、時間的に前後のＩピクチャ又はＰピクチャがデコード時に必要とされる。そこで、デコード時に必要なピクチャを先にデコードしておけるように、ＧＯＰの先頭にはＩピクチャが配置され、以降には各々がデコードに必要なピクチャが先行するように配置されている。
【００１６】
また、ＭＰＥＧ方式においては、上述したようにして予測符号化されて圧縮される画像データに加え、音声データも圧縮される。そして、これら圧縮処理された画像データ及び音声データは、時分割多重化されたビットストリームデータとしてディスクに記録される。
【００１７】
図２は、多重化データのデータフォーマットの一例を示す。図２（Ａ）に示すように、ディスクに時分割多重記録された多重化データにおける、多重化ビットストリームの１単位は、少なくとも１つのパック（Ｐａｃｋ）と、終了を示すＩＳＯ＿１１１７２＿Ｅｎｄ＿Ｃｏｄｅとから構成されている。このＩＳＯ＿１１１７２＿Ｅｎｄ＿Ｃｏｄｅは、３２ビットの符号から成り、１６進数で「０ｘ０００００１Ｂ９」と規定されている。なお、先頭の「０ｘ」は、以下の数字又は文字の列が１６進数であることを示す。
【００１８】
また、各パックは、図２（Ｂ）に示すように、Ｐａｃｋ＿Ｓｔａｒｔ＿Ｃｏｄｅ、ＰＣＲ（Ｐｒｏｇｒａｍ  Ｃｌｏｃｋ  Ｒｅｆｅｒｅｎｃｅ）、ＭＵＸ＿Ｒａｔｅから成るパックヘッダ情報と、少なくとも１つのパケット（Ｐａｃｋｅｔ）とから構成されている。１つのパケットはディスクの１セクタに格納される大きさに定義されている。パックヘッダ情報に含まれるＰａｃｋ＿Ｓｔａｒｔ＿Ｃｏｄｅは、３２ビットの符号から成り、１６進数で「０ｘ０００００１Ｂ４」と規定されている。なお、パックの長さは、可変長として定義されているが、ビデオＣＤの場合は２０４８バイトに固定されている。
【００１９】
更に、パックを構成するパケットは、図２（Ｃ）に示すように、Ｐａｃｋｅｔ＿Ｓｔａｒｔ＿Ｃｏｄｅ＿Ｐｒｅｆｉｘ、Ｓｔｒｅａｍ＿ＩＤ、Ｐａｃｋｅｔ＿Ｌｅｎｇｔｈ、ＰＴＳ（Ｐｒｅｓｅｎｔａｔｉｏｎ  Ｔｉｍｅ  Ｓｔａｍｐ）及びＤＴＳ（Ｄｅｃｏｄｉｎｇ  Ｔｉｍｅ  Ｓｔａｍｐ）から成るパケットヘッダ情報と、パケットデータ（Ｃｏｄｅ  Ｄａｔａ）とから構成されている。パケットヘッダ情報に含まれるＰａｃｋｅｔ＿Ｓｔａｒｔ＿Ｃｏｄｅ＿Ｐｒｅｆｉｘは、２４ビットの符号から成り、１６進数で「０ｘ０００００１」と規定されている。また、Ｓｔｒｅａｍ＿ＩＤは、８ビットの符号から成りパケットの種類（Ｓｔｒｅａｍ  Ｔｙｐｅ）を示し、このＳｔｒｅａｍ＿ＩＤによりパケットデータがＡｕｄｉｏ  Ｓｔｒｅａｍ及びＶｉｄｅｏ  Ｓｔｒｅａｍの何れであるかが示される。更に、Ｐａｃｋｅｔ＿Ｌｅｎｇｔｈ（１６ビット）は、それ以降のパケットの長さを示している。また、ＰＴＳ及びＤＴＳはパケット内に存在しなくてもよいことになっている。
【００２０】
各パケットのパケットデータ（Ｃｏｄｅ  Ｄａｔａ）には、Ａｕｄｉｏ＿Ｓｔｒｅａｍの場合は音声データが記録され、Ｖｉｄｅｏ＿Ｓｔｒｅａｍの場合は画像データが記録される。そして、パケットデータ（Ｃｏｄｅ  Ｄａｔａ）として、例えばＩ、Ｐ、Ｂのピクチャによる複数のフレームデータが記録される場合には、記録されたフレーム単位毎に、スタートコードとしてフレームスタートコードが付加される。更に、Ｉピクチャには、ＰＴＳデータが必ず付加される。
【００２１】
次に、上述したＭＰＥＧ方式で記録されたビデオＣＤを再生するディスク再生装置の構成を説明する。
【００２２】
図１は、この発明の実施の形態１に係るディスク再生装置の構成を示すブロック図である。このディスク再生装置は、ディスクドライブ１１、ピックアップ１２、データ処理部１３、外部メモリ１４、ＡＶ（Ａｕｄｉｏ  Ｖｉｄｅｏ）デコーダ１５、ドライブ制御部１６及び制御用マイクロコンピュータ（以下、「制御マイコン」と略する）１７から構成されている。
【００２３】
ディスクドライブ１１は、ビデオＣＤ等のディスク１０を搭載し、ドライブ制御部１６からのサーボ信号に応答してトラッキングサーボ及びフォーカスサーボを行い、ピックアップ１２を指示された位置に対向させる。
【００２４】
ピックアップ１２は、ディスク１０に記録されている情報を読み取る。具体的には、ピックアップ１２は、ディスク１０の信号面にレーザビームを照射し、該信号面で反射されて戻ってきた光ビームを電気信号に変換して出力する。このピックアップ１２から出力される信号は、データ処理部１３に送られる。
【００２５】
データ処理部１３は、制御マイコン１７からの制御信号に応答して、ピックアップ１２から受け取った信号をデジタル信号に変換し、再生データとして外部メモリ１４に送る。
【００２６】
外部メモリ１４は、データ処理部１３から送られてくる再生データを順次記憶する。この外部メモリ１４は、この発明のメモリに対応する。外部メモリ１４に記憶された再生データは、ＡＶデコーダ１５及び制御マイコン１７によって読み出される。
【００２７】
ＡＶデコーダ１５は、制御マイコン１７からの再生指令を表す制御信号に応答して、外部メモリ１４から再生データを読み出してデコードする。このデコードにより得られた映像信号又は音声信号として外部に出力される。
【００２８】
ドライブ制御部１６は、制御マイコン１７からの制御信号に応答して、ディスクドライブ１１を制御する。具体的には、制御マイコン１７からの制御信号に応答してディスク１０を回転させるとともに、ピックアップ１２を指示された位置に対向させるためのサーボ信号を生成してディスクドライブ１１に送る。
【００２９】
制御マイコン１７は、この発明の制御部に対応し、上述したように、データ処理部１３、ＡＶデコーダ１５及びドライブ制御部１６に制御信号を送ることにより、これらの動作を制御する。この制御マイコン１７は、ソフトウェア処理によって実現された続き再生アドレス検出部１８及び続き再生アドレス記憶部１９を備えている。続き再生アドレス検出部１８及び続き再生アドレス記憶部１９は、この発明のアドレス検出部及びアドレス記憶部にそれぞれ対応する。
【００３０】
続き再生アドレス検出部１８は、再生データを構成するパケットの種類（Ｓｔｒｅａｍ  Ｔｙｐｅ）及びＰＴＳデータの有無を調べ、パケットがＶｉｄｅｏ  Ｓｔｒｅａｍであり且つＰＴＳデータが存在することを検出した場合に、そのパケットが記憶されているディスク１０上のアドレスを続き再生アドレス記憶部１９に送る。なお、アドレスとしては、ディスク１０の物理トラックアドレスと物理セクタアドレスとから成る物理アドレス、又は、物理トラックアドレス及び物理セクタアドレスを連続したセクタアドレスに換算して成る論理アドレスを用いることができる。
【００３１】
続き再生アドレス記憶部１９は、続き再生アドレス検出部１８から送られてくるアドレスを既に記憶されているアドレスに置き換えて記憶する。従って、この続き再生アドレス記憶部１９には、常に、最も最近再生された画像データに対応するパケットの、ディスク１０上でのアドレスが記憶される。
【００３２】
次に、上記のように構成される、この発明の実施の形態１に係るディスク再生装置の動作を、図３に示したフローチャートを参照しながら説明する。
【００３３】
先ず、制御マイコン１７は、図示しない操作部からディスクドライブ１１に装着されたディスク１０の再生が指示されると、ピックアップ１２の移動を指示する（ステップＳＴ１０）。即ち、制御マイコン１７は、ピックアップ１２を再生を開始すべき位置（トラック及びセクタ）に移動させるための制御信号を生成し、ドライブ制御部１６に送る。
【００３４】
ドライブ制御部１６は、この制御信号に応答してサーボ信号を生成し、ディスクドライブ１１に送る。これにより、ディスクドライブ１１は、トラッキングサーボ及びフォーカスサーボを行ってピックアップ１２を、指示されたセクタの先頭位置、換言すれはパケットの先頭位置に向けて移動させる。同時に、ピックアップ１２は、ディスク１０から読み取った信号をデータ処理部１３に送る。
【００３５】
次いで、制御マイコン１７は、ピックアップ１２が目的の位置に移動してトラッキング及びフォーカスが安定したタイミングで再生開始を指示する制御信号をデータ処理部１３に送る（ステップＳＴ１０）。これにより、データ処理部１３は、ピックアップ１２から受け取った信号をデジタル信号に変換し、再生データとして外部メモリ１４に送る。外部メモリ１４は、データ処理部１３から受け取った再生データを順次格納する。
【００３６】
次いで、制御マイコン１７は、ＡＶデコーダ１５でデコードを開始するのに必要な所定量の再生データが外部メモリ１４に格納されたかどうかを調べる（ステップＳＴ１２）。ここで、所定量の再生データが外部メモリ１４に未だ格納されていないことを判断すると、このステップＳＴ１２を繰り返し実行しながら所定量の再生データが蓄積されるまで待機する。
【００３７】
このステップＳＴ１２の繰り返し実行による待機状態で、所定量の再生データが外部メモリ１４に格納されたことを判断すると、制御マイコン１７は、次いで、ＡＶデコーダ１５に再生指令を表す制御信号を送る（ステップＳＴ１３）。これにより、ＡＶデコーダ１５は、外部メモリ１４から再生データを読み出してデコードを開始する。デコードされた信号は、映像信号又は音声信号として外部へと出力される。
【００３８】
次いで、制御マイコン１７のソフトウェア処理によって実現されている続き再生アドレス検出部１８は、外部メモリ１４からアドレスとパケットヘッダ情報を取得する（ステップＳＴ１４）。次いで、続き再生アドレス検出部１８は、現在再生中のパケットのパケットデータが、Ｖｉｄｅｏ＿Ｓｔｒｅａｍであるかどうかを調べる（ステップＳＴ１５）。これは、ステップＳＴ１４で取得されたパケットヘッダ情報に含まれるＳｔｒｅａｍ＿ＩＤを調べることにより行われる。このステップＳＴ１５で、Ｖｉｄｅｏ＿Ｓｔｒｅａｍでないことが判断されると、シーケンスはステップＳＴ１８に分岐する。
【００３９】
一方、ステップＳＴ１５で、Ｖｉｄｅｏ＿Ｓｔｒｅａｍであることが判断されると、次いで、続き再生アドレス検出部１８は、ＰＴＳデータが存在するかどうかを調べる（ステップＳＴ１６）。これは、ステップＳＴ１４で取得されたパケットヘッダ情報を調べることにより行われる。なお、ＰＴＳデータは、Ｉピクチャの先頭のパケットには必ず付される。従って、このＰＴＳデータの存在の有無を調べることにより、Ｉピクチャの先頭パケットであるかどうかを判断することができる。
【００４０】
このステップＳＴ１６で、ＰＴＳデータが存在しないことが判断されると、シーケンスはステップＳＴ１８に分岐する。一方、ＰＴＳデータが存在することが判断されると、続き再生アドレス検出部１８は、ステップＳＴ１４で取得したアドレスを続き再生用のアドレスとして、続き再生アドレス記憶部１９に格納する（ステップＳＴ１７）。以上のステップＳＴ１４〜ＳＴ１７の処理から成る続き再生アドレス検出部１８により、再生データが画像データであって、且つＩピクチャである場合、つまりＧＯＰの先頭のピクチャである場合にのみ続き再生用のアドレスが続き再生アドレス記憶部１９に格納される機能が実現されている。
【００４１】
ステップＳＴ１８では、制御マイコン１７は、図示しない操作部から一時停止の指示がなされたかどうかを調べる。ここで、一時停止の指示がないことを判断すると、ピックアップ１２を次のセクタ（次のパケット）へ移動させる指示を行う（ステップＳＴ１９）。即ち、制御マイコン１７は、ピックアップ１２を次のセクタに移動させるための制御信号を生成し、ドライブ制御部１６に送る。
【００４２】
ドライブ制御部１６は、この制御信号に応答してサーボ信号を生成し、ディスクドライブ１１に送る。これにより、ディスクドライブ１１は、トラッキングサーボ及びフォーカスサーボを行ってピックアップ１２を、次のセクタの先頭位置、換言すれは次のパケットの先頭位置に向けて移動させる。これにより連続した再生が行われる。その後、シーケンスはステップＳＴ１１に分岐し、上述した処理が繰り返される。
【００４３】
上記ステップＳＴ１８で、一時停止の指示がなされたことが判断されると、制御マイコン１７は、次いで、図示しない操作部から続き再生の指示があるかどうかを調べる（ステップＳＴ２０）。ここで、続き再生の指示がなされていないことが判断されると、このステップＳＴ２０を繰り返し実行しながら待機する。
【００４４】
このステップＳＴ２０の繰り返し実行による待機状態で、続き再生の指示がなされたことが判断されると、制御マイコン１７は、続き再生アドレス記憶部１９から続き再生用のアドレスを読み出し、この読み出したアドレスで指定されるセクタへピックアップ１２を移動させる指示を行う（ステップＳＴ２１）。即ち、制御マイコン１７は、ピックアップ１２を続き再生用のアドレスで指定されるセクタに移動させるための制御信号を生成し、ドライブ制御部１６に送る。
【００４５】
ドライブ制御部１６は、この制御信号に応答してサーボ信号を生成し、ディスクドライブ１１に送る。これにより、ディスクドライブ１１は、トラッキングサーボ及びフォーカスサーボを行ってピックアップ１２を、続き再生アドレスで指定されるセクタの先頭位置、換言すれは続き再生アドレスで指定されるパケットの先頭位置に向けて移動させる。これにより、続き再生が開始される。その後、シーケンスはステップＳＴ１１に分岐し、上述した処理が繰り返される。
【００４６】
以上説明したように、この実施の形態１に係るディスク再生装置によれば、続き再生アドレス検出部１８は、再生データが画像データであって、且つＩピクチャである場合、つまりＧＯＰの先頭のピクチャである場合にのみ続き再生用のアドレスを続き再生アドレス記憶部１９に格納する。従って、ディスク再生装置の再生動作が一時停止された時点では、最も最近再生された画像データに対応するパケットの、ディスク１０上でのアドレスが記憶されている。この一時停止状態で続き再生が指示されると、続き再生アドレス記憶部１９に格納されているアドレスから再生が開始されるので、必ず画像データから再生が開始される。従って、再生対象がスライドショー用のＣＤであっても、音声が先に再生され、その後に映像が再生されるという状態は発生しないので違和感を生じることなく続き再生を開始させることができる。
【００４７】
【発明の効果】
以上のように、この発明によれば、メモリに記憶された再生データが画像データである場合に、該画像データが記録されているディスク上のアドレスを検出して更新しながら記憶し、一時停止の後に再生の指示がなされた場合に、ディスクに記録されているデータの読み取りを、記憶されているアドレスから再開させるように構成したので、常に映像が先に再生されることになる。従って、ビデオＣＤの記録内容に拘わらず、一時停止後の再生時であっても、映像と音声を違和感なく再生できる。
【図面の簡単な説明】
【図１】この発明の実施の形態１に係るディスク再生装置の構成を示すブロックである。
【図２】この発明の実施の形態１に係るディスク再生装置で使用される再生データのフォーマットを説明するための図である。
【図３】この発明の実施の形態１に係るディスク再生装置で実行される処理を示すフローチャート図である。
【符号の説明】
１０  ディスク、１１  ディスクドライブ、１２  ピックアップ、１３  データ処理部、１４  外部メモリ（メモリ）、１５  ＡＶデコーダ、１６  ドライブ制御部、１７  制御マイコン（制御部）、１８  続き再生アドレス検出部（アドレス検出部）、１９  続き再生アドレス記憶部（アドレス記憶部）。
【図１】
2005004840.tif 000003
【図２】
2005004840.tif 000004
【図３】
2005004840.tif 000005